(57)【特許請求の範囲】
【請求項１】
第一空間内に居るユーザが、前記第一空間とは離れた第二空間内の映像を見るために用いられる映像表示システムであって、
前記第二空間内に設置された撮像装置と、
前記第一空間内に設置され、映像の表示画面を形成する表示画面形成部と、
前記撮像装置が撮像した映像を示す映像データを前記撮像装置から受信する受信部と、
該受信部が受信した前記映像データが示す映像のうち、前記表示画面の大きさに応じた表示サイズとなった部分映像を前記表示画面に表示させる映像表示部と、
前記第一空間内に居るユーザの位置、顔の向き、視線及び顔の位置のうち、少なくとも一つを検出するための検出部と、を有し、
前記映像表示部は、前記検出部による検出結果が変化したときに、変化後の該検出結果に応じて前記映像データが示す映像中、どの前記部分映像を前記表示画面に表示させるかを決め、
前記受信部が前記撮像装置から前記映像データを受信して、前記検出部が前記表示画面の前に前記ユーザが居ないと判定した場合、前記映像データを受信したことを、呼び出し音、発光、又は受信通知用の画像を利用して前記ユーザに通知するよう構成されていることを特徴とする映像表示システム。
【請求項２】
互いに通信可能な第一コンピュータ及び第二コンピュータを有し、
前記第一コンピュータは、前記撮像装置と接続されており、前記撮像装置が撮像した映像を示す前記映像データを送信する送信部として機能し、
前記第二コンピュータは、前記表示画面形成部及び前記検出部と接続されており、前記受信部及び前記映像表示部として機能することを特徴とする請求項１に記載の映像表示システム。
【請求項３】
前記撮像装置は、魚眼レンズ又は広角レンズを備え、該魚眼レンズ又は広角レンズを通して映像を撮像する固定カメラであることを特徴とする請求項１又は２に記載の映像表示システム。
【請求項４】
前記検出部は、前記第一空間内に設置された他の撮像装置であり、
該他の撮像装置は、前記表示画面形成部の前に居る前記ユーザを撮像することで前記ユーザの顔の位置を検出し、
前記映像表示部は、前記他の撮像装置が検出した前記ユーザの顔の位置を示す座標値を算出し、前記ユーザの顔の位置が変化して前記座標値が変化したときに、変化後の前記座標値に応じて前記映像データが示す映像中、どの前記部分映像を前記表示画面に表示させるかを決めることを特徴とする請求項１乃至３のいずれか一項に記載の映像表示システム。
【請求項５】
前記映像表示部は、算出した前記座標値が予め設定された基準値となるときには、前記映像データが示す映像中、前記基準値に対応して設定された基準部分映像を前記表示画面に表示させ、算出した前記座標値が前記基準値と異なるときには、前記映像データが示す映像中、前記座標値と前記基準値とのずれ量に応じた分だけ前記基準部分映像からずれた前記部分映像を前記表示画面に表示させることを特徴とする請求項４に記載の映像表示システム。
【請求項６】
前記表示画面形成部の前に居る前記ユーザが、互いに反対向きである第一の向き及び第二の向きのうち、前記表示画面形成部から見て前記第一の向きに顔を移動させたとき、前記映像表示部は、移動前に表示されていた前記部分映像よりも前記第二の向きにずれた前記部分映像を前記表示画面に表示させ、
前記表示画面形成部の前に居る前記ユーザが、前記表示画面形成部から見て前記第二の向きに顔を移動させたとき、前記映像表示部は、移動前に表示されていた前記部分映像よりも前記第一の向きにずれた前記部分映像を前記表示画面に表示させることを特徴とする請求項５に記載の映像表示システム。
【請求項７】
前記表示画面形成部は、前記第一空間内に配置された建築材料、家具若しくは装飾品の一部分を構成するとともに前記表示画面を形成し、
前記第一空間内に設けられ、前記ユーザが行う動作、前記ユーザが居る位置、前記ユーザの姿勢及び前記ユーザが発する音のうちの少なくとも一つを検知対象としたときに、予め設定された検知条件を満たす前記検知対象を検知するセンサと、を有し、
該センサが前記検知条件を満たす前記検知対象を検知していない期間中、前記表示画面形成部は、前記表示画面を形成せずに前記一部分としての外観を現し、
前記センサが前記検知条件を満たす前記検知対象を検知している期間にのみ、前記表示画面形成部は、前記表示画面を形成することを特徴とする請求項１乃至６のいずれか一項に記載の映像表示システム。
【請求項８】
第一空間内に居るユーザが、コンピュータを用いて、前記第一空間とは離れた第二空間内の映像を見るための映像表示方法であって、
コンピュータが、前記第二空間内に設置された撮像装置が撮像した映像を示す映像データを、前記撮像装置から受信し、コンピュータが、前記第一空間内に設置された表示画面形成部によって形成される表示画面の前に前記ユーザが居ないと判定した場合、前記映像データを受信したことを、呼び出し音、発光又は受信通知用画像を利用して前記ユーザに通知する工程と、
コンピュータが、前記表示画面に、受信した前記映像データが示す映像のうち、前記表示画面の大きさに応じた表示サイズとなった部分映像を表示させる工程と、
前記第一空間内に居るユーザの位置、顔の向き、視線及び顔の位置のうち、少なくとも一つを検出部によって検出する工程と、を有し、
前記部分映像を前記表示画面に表示させる工程の実施中、前記検出部による検出結果が変化したときには、コンピュータが、変化後の該検出結果に応じて前記映像データが示す映像中、どの前記部分映像を前記表示画面に表示させるかを決めることを特徴とする映像表示方法。
【発明の詳細な説明】
【技術分野】
【０００１】
本発明は、映像表示システム及び映像表示方法に係り、特に、ユーザが離れた場所の映像を見るために用いられる映像表示システム及び映像表示方法に関する。
【背景技術】
【０００２】
通信技術を利用することにより、互いに離れた場所に居る者同士が映像表示用のディスプレイで相手の映像を見ながら対話（会話）をすることは、既に知られている。また、近年では、対話者の視線や顔の向きに合わせて表示映像を変化させる技術（厳密には、表示される映像を切り替える技術）が開発されている。このように対話者の動きに合わせて表示映像が変わることで、通信技術を用いた対話の臨場感を高めることが可能となる。
【０００３】
一例を挙げて詳しく説明すると、特許文献１によれば、対話者が自己の通信端末（例えば、携帯電話やスマートフォン）のインカメラを用いて当該対話者の視線方向等を解析する。解析後には、視線方向に対応する画像（映像）を生成し、対話者が持つ通信端末のディスプレイに当該画像が表示されるようになる。これによってディスプレイに表示されている画像に対して視線方向が変えられた場合には、その変えられた視線方向と対応するように表示画像を切り替えることが可能となる。
【０００４】
しかしながら、特許文献１に記載の技術では、対話者の視線方向の変化に合わせて、相手側に存する表示対象物や表示対象者を見るときの角度が切り替わるに留まる。つまり、特許文献１に記載の技術では、対話者の視線方向が変化したとしても、表示対象となる物や人自体については変わらないことになる。
【０００５】
これに対して、特許文献２によれば、対話者の位置や視線又は顔の向きが変化したときに、相手側の映像を撮像するカメラがズーム・パン・チルト動作を行う。これによって対話者の位置や視線又は顔の向きが変化したときには、その変化に応じてカメラの撮像方向や画角が切り替わるようになる。そして、切り替え後の表示映像には、切り替え前に表示されていた人の隣に位置していた物や人が映るようになる。このように対象者の視線や顔の向きの変化に連動して表示対象物（表示対象者）が切り替わることで、対話者は、あたかも対話相手と同じ空間内に居るような視覚的効果を得るようになる。
【先行技術文献】
【特許文献】
【０００６】
【特許文献１】特開２０１２−１９０２３０号公報
【特許文献２】特開２００５−２８６４４２号公報
【発明の概要】
【発明が解決しようとする課題】
【０００７】
ところで、上述の視覚的効果については、より簡易な機構によって実現されることが望ましい。一方で、特許文献２では、上述の視覚的効果を得るための構成として、カメラ駆動用の装置が別途必要となる。このため、特許文献２に記載の構成にて上述の視覚的効果を得ようとすると、そのためのシステムが高コスト化し、構成についても複雑化してしまう虞がある。
【０００８】
そこで、本発明は、上記の課題に鑑みてなされたものであり、その目的とするところは、ユーザが離れた場所の映像を見るために用いられる映像表示システムとして、あたかもその空間に居るような視覚的効果を簡易な構成にて実現することが可能な映像表示システムを提供することである。同様に、本発明の他の目的は、より簡易な構成にて上記の視覚的効果を得ることが可能な映像表示方法を提供することである。
【課題を解決するための手段】
【０００９】
前記課題は、本発明の映像表示システムによれば、第一空間内に居るユーザが、前記第一空間とは離れた第二空間内の映像を見るために用いられる映像表示システムであって、（Ａ）前記第二空間内に設置された撮像装置と、（Ｂ）前記第一空間内に設置され、映像の表示画面を形成する表示画面形成部と、（Ｃ）前記撮像装置が撮像した映像を示す映像データを前記撮像装置から受信する受信部と、（Ｄ）該受信部が受信した前記映像データが示す映像のうち、前記表示画面の大きさに応じた表示サイズとなった部分映像を前記表示画面に表示させる映像表示部と、（Ｅ）前記第一空間内に居るユーザの位置、顔の向き、視線及び顔の位置のうち、少なくとも一つを検出するための検出部と、を有し、（Ｆ）前記映像表示部は、前記検出部による検出結果が変化したときに、変化後の該検出結果に応じて前記映像データが示す映像中、どの前記部分映像を前記表示画面に表示させるかを決め、前記受信部が前記撮像装置から前記映像データを受信して、前記検出部が前記表示画面の前に前記ユーザが居ないと判定した場合、前記映像データを受信したことを、呼び出し音、発光、又は受信通知用の画像を利用して前記ユーザに通知するよう構成されていることにより解決される。
【００１０】
上記の映像表示システムでは、第一空間内に居るユーザの位置、顔の向き、視線及び顔の位置のうち、少なくとも一つを検出部により検出する。そして、映像表示部は、撮像装置が撮像した第二空間の映像中、検出部の検出結果に応じた部分映像を表示画面に表示させる。また、映像表示部は、検出部による検出結果が変化したときに、変化後の検出結果に応じて、どの部分映像を表示画面に表示させるかを決める。以上の構成は、第一空間に居るユーザがあたかも第二空間に居るような視覚的効果を得るための構成として、よりシンプルなものとなる。したがって、撮像装置の撮像方向や画角を切り替えるための装置を別途備える必要もなく、上記の視覚的効果が適切に得られるようになる。
【００１１】
また、上記の映像表示システムにおいて、互いに通信可能な第一コンピュータ及び第二コンピュータを有し、前記第一コンピュータは、前記撮像装置と接続されており、前記撮像装置が撮像した映像を示す前記映像データを送信する送信部として機能し、前記第二コンピュータは、前記表示画面形成部及び前記検出部と接続されており、前記受信部及び前記映像表示部として機能するとよい。
上記の構成では、コンピュータが受信部及び映像表示部としての機能を担っている。つまり、コンピュータが受信部及び映像表示部として一連のデータ処理を実行することで、上記の視覚的効果が得られるようになる。すなわち、上記の構成では、ユーザの位置、顔の向き、視線若しくは顔の位置の変化に連動して表示映像を切り替えるにあたり、メカ構成を必要とせず、データ処理のみによって実現する。この結果、より一層簡易な構成にて上述の視覚的効果を得ることが可能となる。
【００１２】
また、上記の映像表示システムにおいて、前記撮像装置は、魚眼レンズ又は広角レンズを備え、該魚眼レンズ又は広角レンズを通して映像を撮像する固定カメラであるとよい。
上記の構成では、撮像装置により撮像された映像が、比較的画角の広い映像となる。このように画角が広い映像を元の映像として取得しておけば、ユーザの位置、顔の向き、視線若しくは顔の位置が変化した際に、その変化に応じて部分映像を容易に切り替えることが可能となる。
【００１３】
また、上記の映像表示システムにおいて、前記検出部は、前記第一空間内に設置された他の撮像装置であり、該他の撮像装置は、前記表示画面形成部の前に居る前記ユーザを撮像することで前記ユーザの顔の位置を検出し、前記映像表示部は、前記他の撮像装置が検出した前記ユーザの顔の位置を示す座標値を算出し、前記ユーザの顔の位置が変化して前記座標値が変化したときに、変化後の前記座標値に応じて前記映像データが示す映像中、どの前記部分を前記表示画面に表示させるかを決めるとよい。
上記の構成では、表示画面形成部の前に居るユーザを撮像することでユーザの顔の位置を検出し、その後、検出したユーザの顔の位置を示す座標値を算出する。そして、表示画面に部分映像を表示する際には、算出した座標値と対応した部分映像を表示する。さらに、ユーザの顔の位置が変化して座標値が変化したときには、変化後の座標値に応じた部分映像を表示画面に表示する。この結果、ユーザの顔の位置の変化に連動して、表示画面に表示される部分映像が適切に切り替わるようになる。
【００１４】
また、上記の映像表示システムにおいて、前記映像表示部は、算出した前記座標値が予め設定された基準値となるときには、前記映像データが示す映像中、前記基準値に対応して設定された基準部分映像を前記表示画面に表示させ、算出した前記座標値が前記基準値と異なるときには、前記映像データが示す映像中、前記座標値と前記基準値とのずれ量に応じた分だけ前記基準部分映像からずれた前記部分映像を前記表示画面に表示させるとよい。
上記の構成では、ユーザの顔の現在位置について座標値を算出したとき、その算出結果が基準値となるときには、基準部分映像を表示させる。一方、算出結果が基準値と異なるときには、そのずれ量に応じた分だけ基準部分映像からずれた部分映像を表示させる。これにより、表示画面に表示される部分映像が、ユーザの顔の現在位置に応じて適切に決められるようになる。
【００１５】
また、上記の映像表示システムにおいて、前記表示画面形成部の前に居る前記ユーザが、互いに反対向きである第一の向き及び第二の向きのうち、前記表示画面形成部から見て前記第一の向きに顔を移動させたとき、前記映像表示部は、移動前に表示されていた前記部分映像よりも前記第二の向きにずれた前記部分映像を前記表示画面に表示させ、前記表示画面形成部の前に居る前記ユーザが、前記表示画面形成部から見て前記第二の向きに顔を移動させたとき、前記映像表示部は、移動前に表示されていた前記部分映像よりも前記第一の向きにずれた前記部分映像を前記表示画面に表示させるとよい。
上記の構成では、表示画面形成部の前に居るユーザが表示画面形成部から見て第一の向きに移動したとき、移動前に表示されていた部分映像よりも第二の向きにずれた部分映像を表示画面に表示させる。他方、ユーザが第二の向きに移動したとき、移動前に表示されていた部分映像よりも第一の向きにずれた部分映像を表示画面に表示させる。つまり、上記の構成によれば、ユーザが顔の位置を変化させたときに、変化させた方向と対応する映像が表示画面に表示されるようになる。この結果、ユーザは、顔を移動させるだけで、移動前の時点で表示画面を通じて見ていた物（人）の隣に在る物（人）を見られるようになる。すなわち、上記の構成により、いわゆる「覗き込み」の効果を得ることが可能となる。
【００１６】
また、上記の映像表示システムにおいて、前記表示画面形成部は、前記第一空間内に配置された建築材料、家具若しくは装飾品の一部分を構成するとともに前記表示画面を形成し、前記第一空間内に設けられ、前記ユーザが行う動作、前記ユーザが居る位置、前記ユーザの姿勢及び前記ユーザが発する音のうちの少なくとも一つを検知対象としたときに、予め設定された検知条件を満たす前記検知対象を検知するセンサと、を有し、該センサが前記検知条件を満たす前記検知対象を検知していない期間中、前記表示画面形成部は、前記表示画面を形成せずに前記一部分としての外観を現し、前記センサが前記検知条件を満たす前記検知対象を検知している期間にのみ、前記表示画面形成部は、前記表示画面を形成するとよい。
上記の構成では、第一空間内でユーザの動作、位置、姿勢及び音のうちの少なくとも一つを検知すると、これをトリガーとして映像の表示画面が形成されることになっている。他方、トリガーとなる検知対象の検知がない期間には表示画面が形成されず、その代わりに、第一空間内において建築材料、家具若しくは装飾品の一部分としての外観を現すようになる。これにより、映像を表示させない期間中には表示画面形成部が建築材料等として機能するようになり、第一空間内で目立ち難くなる。一方、上述したように第一空間内で検知対象が検知されると、これをトリガーとして表示画面が形成されるため、表示画面を形成させるのに特段複雑な操作を要さないことになる。
【００１７】
また、前述の課題は、本発明の映像表示方法によれば、第一空間内に居るユーザが、コンピュータを用いて、前記第一空間とは離れた第二空間内の映像を見るための映像表示方法であって、（Ａ）コンピュータが、前記第二空間内に設置された撮像装置が撮像した映像を示す映像データを、前記撮像装置から受信し、コンピュータが、前記第一空間内に設置された表示画面形成部によって形成される表示画面の前に前記ユーザが居ないと判定した場合、前記映像データを受信したことを、呼び出し音、発光又は受信通知用画像を利用して前記ユーザに通知する工程と、（Ｂ）コンピュータが、前記表示画面に、受信した前記映像データが示す映像のうち、前記表示画面の大きさに応じた表示サイズとなった部分映像を表示させる工程と、（Ｃ）前記第一空間内に居るユーザの位置、顔の向き、視線及び顔の位置のうち、少なくとも一つを検出部によって検出する工程と、を有し、（Ｄ）前記部分映像を前記表示画面に表示させる工程の実施中、前記検出部による検出結果が変化したときには、コンピュータが、変化後の該検出結果に応じて前記映像データが示す映像中、どの前記部分映像を前記表示画面に表示させるかを決めることにより解決される。
上記の方法によれば、ユーザの位置や視線等の変化に連動して表示画面に表示させる映像（部分映像）を切り替えることで、あたかも第二空間に居るような視覚的効果を、よりシンプルな構成によって得ることが可能となる。
【発明の効果】
【００１８】
本発明の映像表示システム及び映像表示方法によれば、ユーザの顔の位置や視線等の変化に連動して表示画面に表示させる映像（部分映像）が切り替わる。これにより、顔を移動させるだけで、移動前の時点で表示画面を通じて見ていた物（人）の隣に在る物（人）を見られる「覗き込み」の効果が得られる。また、かかる視覚的効果を得る上で特別な機構を必要としない構成であるため、よりシンプルな構成を実現することができる。以上のように、本発明の映像表示システム及び映像表示方法によれば、比較的シンプルな構成にて「覗き込み」の効果が得られる。
【図面の簡単な説明】
【００１９】
【図１】第一空間に居るユーザが表示画面を通じて第二空間の映像を見ている様子を示した図である。
【図２】本発明の一実施形態に係る映像表示システムの構成を示したブロック図である。
【図３】第二空間に設置された撮像装置による撮像範囲と、第一空間にて表示される表示範囲とを示した図である。
【図４】図４の（Ａ）及び（Ｂ）は、本発明の表示画面形成部の一例を示した図である。
【図５】第一コンピュータ及び第二コンピュータのそれぞれの構成を機能面から示した図である。
【図６】対話用通信処理の流れに関する説明図である。
【図７Ａ】ユーザの顔の位置が変化したときに表示画面の映像を切り替える際の手順を示した図である（その１）。
【図７Ｂ】ユーザの顔の位置が変化したときに表示画面の映像を切り替える際の手順を示した図である（その２）。
【図８】ユーザの顔の位置が変化することで表示画面の映像が切り替わった状況を示した図である。
【図９】変形例に係る映像表示システムの構成を示した図である。
【発明を実施するための形態】
【００２０】
以下、本発明の一実施形態（以下、本実施形態）について図面を参照しながら説明する。なお、説明を分かり易くするために、以下では、互いに離れた場所に居るＡさん及びＢさんが本実施形態に係る映像表示システムを通じて対話を行う場面を具体例に挙げて説明することとする。また、以下の説明では、Ａさんを「ユーザ」とし、Ｂさんを「対話相手」とする。ただし、「ユーザ」と「対話相手」との関係は、相対的な立場関係であり、話者の一方を「ユーザ」に設定した場合には、他方が必然的に「対話相手」となる。そして、以下に説明する本実施形態の内容は、Ａさん及びＢさんの各々の立場を入れ替えたとき、つまり、Ｂさんを「ユーザ」としＡさんを「対話相手」としたときにも同様に適用されるものである。
【００２１】
また、以下の説明中、「第一空間」とは、「ユーザ」であるＡさんが居る空間のことである。「第二空間」とは、「対話相手」であるＢさんが居る空間のことである。ここで、第一空間と第二空間とは、互いに離れており、特に本実施形態では、互いに異なる建物（例えば、Ａさんの自宅とＢさんの自宅）に設けられた空間となっている。ただし、これに限定されるものではなく、第一空間及び第二空間が、同じ建物内にあって互いに離れている２つの部屋であることとしてもよい。なお、「第一空間」と「第二空間」との関係についても、「ユーザ」と「対話相手」との関係と同様、相対的な関係である。つまり、「ユーザ」として設定された人が居る空間が「第一空間」に該当し、「対話相手」として設定された人が居る空間が「第二空間」に該当する。
【００２２】
＜＜本実施形態に係る映像表示システムの構成について＞＞
先ず、本実施形態に係る映像表示システム（以下、本システムＳ）の用途及び構成について図１及び２を参照しながら説明する。図１は、第一空間に居るＡさんが表示画面を通じて第二空間の映像を見ている様子を示した図である。図２は、本システムＳの構成を示したブロック図である。
【００２３】
本システムＳの用途について説明すると、本システムＳは、図１に示すようにＡさんとＢさんとが互いの映像を見ながら対話を行うために用いられる。つまり、Ａさんは、第一空間に居ながらにして、第二空間の映像及び音声を視聴することが可能である。同様に、Ｂさんは、第二空間に居ながらにして、第一空間の映像及び音声を視聴することが可能である。
【００２４】
より詳しく説明すると、Ｂさん及びその周辺の映像は、Ａさんが居る第一空間内に設置されたディスプレイに表示される。また、Ｂさんの話し声を含む第二空間内の音声は、Ａさんが居る第一空間内に設置されたオーディオ装置によって再生される。そして、Ａさんは、図１に示すようにディスプレイの前に立ち、ディスプレイに表示された映像を見ながら、オーディオ装置によって再生された音声を聴く。同様に、Ｂさんは、第二空間内に設置されたディスプレイにてＡさん及びその周辺の映像を見ながら、オーディオ装置によって再生された第一空間内の音声を聴く。この結果、Ａさん及びＢさんの双方は、互いに離れた場所に居ながら、あたかも同じ場所で対話をしているような視聴覚的効果を得ることが可能となる。換言すると、本システムＳの機能により、互いに離れた場所に居る者同士の間で臨場感のある対話が実現されるようになる。
【００２５】
次に、本システムＳの構成について説明すると、本システムＳは、図２に示すように、第一空間及び第二空間のそれぞれに対して設けられた対話ユニット１、２によって構成されている。ここで、第一空間に対して設けられた対話ユニット１と、第二空間に対して設けられた対話ユニット２とは、構成の面で共通している。したがって、以下の説明では、第一空間に対して設けられた対話ユニット１の構成のみを説明することとする。
【００２６】
対話ユニット１は、コンピュータの一例であるサーバコンピュータ及び視聴覚設備等によって構成されている。対話ユニット１が有するサーバコンピュータは、第一コンピュータに相当し、第一空間内の映像及び音声の取得並びに第二空間の映像及び音声の再生をコントロールするものであり、以下、第一サーバ１０Ａと呼ぶ。この第一サーバ１０Ａは、インターネット等の通信回線３を通じて第二サーバ１０Ｂと通信可能に接続されている。ここで、第二サーバ１０Ｂとは、対話ユニット２が有するサーバコンピュータであり、第二コンピュータに相当し、第二空間内の映像及び音声の取得並びに第一空間の映像及び音声の再生をコントロールする。
【００２７】
そして、第一サーバ１０Ａは、第二サーバ１０Ｂと通信することで、第二空間の映像及び音声を示すデータ（以下、対話データ）を受信する。同様に、第二サーバ１０Ｂは、第一サーバ１０Ａと通信することで、第一空間の映像及び音声を示す対話データを受信する。なお、図２では不図示となっているが、一般的に、対話ユニット１、２の間には中継サーバ（プロキシサーバ）が介在している。つまり、各対話ユニット１、２間で送受信される対話データについては、通常、上記の中継サーバを経由することになる。
【００２８】
第一サーバ１０Ａの構成についてより詳しく説明すると、第一サーバ１０Ａは、図２に示すようにＣＰＵ１１、ＲＯＭやＲＡＭからなるメモリ１２、ハードディスクドライブ１３（図２中、ＨＤＤと表記）、通信用インターフェース１４（図２中、通信用Ｉ／Ｆ）及びＩ／Ｏポート１５を有する。第一サーバ１０Ａは、通信回線３を通じて第二サーバ１０Ｂから送信されてくるデータを受信し、当該データをメモリ１２若しくはハードディスクドライブ１３に記憶する。また、メモリ１２には、対話に係る一連のデータ処理のアルゴリズムを規定したプログラム（以下、対話プログラム）が格納されている。この対話プログラムが第一サーバ１０Ａ及び第二サーバ１０Ｂのそれぞれにおいて実行されることで、後述の対話用通信処理が進められることになる。
【００２９】
なお、本実施形態において、第一サーバ１０Ａは、第一空間と同じ建物内にある別の空間内に配置されている。ただし、第一サーバ１０Ａの配置場所に関して言うと、特に制限されるものではなく、第一空間内に配置されていてもよく、あるいは、第一空間が属する建物とは異なる建物内に配置されていてもよい。
【００３０】
次に、第一空間内に設けられた視聴覚設備について説明する。視聴覚設備としては、図１及び２に示すように、集音装置２１、撮像装置としての撮像カメラ２２、検出部としての検出カメラ２３、オーディオ装置２４及びディスプレイ（厳密には後述のディスプレイ兼用ミラー２５）が備えられている。
【００３１】
集音装置２１は、Ａさんの話し声を含む第一空間内での音声を集音する装置であり、マイクロフォン等の公知の装置により構成される。この集音装置２１は、集音した音声を示す音声信号を出力し、当該音声信号は、第一サーバ１０Ａに設けられたＩ／Ｏポート１５に入力される。
【００３２】
撮像カメラ２２は、Ａさんの姿及び周辺空間を撮像するために第一空間内の所定位置、具体的にはディスプレイの上方位置に固定された固定カメラであり、その構成については公知である。撮像カメラ２２は、撮像した映像を示す映像信号を出力し、当該映像信号は、第一サーバ１０Ａに設けられたＩ／Ｏポート１５に入力される。なお、本実施形態に係る撮像カメラ２２は、広角レンズ２２ａを搭載しており、当該広角レンズ２２ａを通じて第一空間内の映像を撮像する。したがって、撮像カメラ２２によって撮像される映像は、通常のビデオカメラにて撮像した映像と比較して画角が大きな映像（以下、ワイド映像）となる。
【００３３】
なお、本実施形態では、撮像カメラ２２に搭載されたレンズが広角レンズ２２ａであることとしたが、広角レンズ２２ａの代わりに魚眼レンズを用いてもよい。かかる場合には、撮像カメラ２２によって撮像される映像が、より画角が大きな全方位映像となる。
【００３４】
検出カメラ２３は、他の撮像装置に相当し、ディスプレイの前に人が居るときにその人の顔の位置を検出する検出部として機能する。より具体的に説明すると、検出カメラ２３は、人感センサを内蔵している。この人感センサは、ディスプレイの前に設定された検知エリア内に人が入ると、これを検知する。人感センサが検知エリア内の人を検知すると、これをトリガーとして検出カメラ２３が起動する。検出カメラ２３は、検知エリア内に居る人の顔の位置を検出すべく、その人を撮像する。そして、検出カメラ２３は、撮影した映像を示す映像信号を出力し、当該映像信号は、第一サーバ１０Ａに設けられたＩ／Ｏポート１５に入力される。
【００３５】
なお、本実施形態では、検出カメラ２３が、ディスプレイの前に居る人の顔の位置を検出するものとしたが、これに限定されるものではない。検出カメラ２３は、ディスプレイの前に居る人の位置（立ち位置）、顔の向き、視線及び顔の位置のうち、少なくとも一つを検出するものであればよい。
【００３６】
オーディオ装置２４は、音声を再生する装置であり、スピーカー等の公知の装置により構成される。このオーディオ装置２４は、第一サーバ１０Ａが第二サーバ１０Ｂから受信した対話データを展開して再生命令を出力すると、かかる命令を受け付けて当該対話データが示す音声を再生する。この結果、オーディオ装置２４が配置された第一空間内で、Ｂさんの話し声を含む第二空間内の音声が再生されるようになる。
【００３７】
ディスプレイは、Ｂさんの映像を含む第二空間の映像を表示する表示画面を形成する装置であり、表示画面形成部に相当する。このディスプレイは、第一サーバ１０Ａが第二サーバ１０Ｂから受信した対話データを展開して映像表示命令を受け付けて当該対話データが示す映像を表示する。この結果、ディスプレイ上の表示画面には、第二空間の映像が表示されるようになる。
【００３８】
なお、本実施形態において、ディスプレイの表示画面には、第二サーバ１０Ｂから受信した対話データが示す映像のうちの一部分が表示されることになっている。換言すると、本実施形態に係るディスプレイは、第一サーバ１０Ａが受信した対話データが示す映像のうち、表示画面の大きさに応じた表示サイズとなった部分映像を表示画面に表示させる。より分かり易く説明するために、以下、図３を参照しながら説明する。図３は、第二空間に設置された撮像カメラ２２による撮像範囲と、第一空間に設置されたディスプレイによって表示される表示範囲とを示した図である。ちなみに、図３は、第二空間に設置された撮像カメラ２２側から見たときの図である。
【００３９】
第二サーバ１０Ｂから受信した対話データには、第二空間内に設置された撮像カメラ２２が撮像した映像を示す映像データが含まれている。一方、撮像カメラ２２は、前述したように広角レンズ２２ａを通じて映像を撮像する。したがって、上記の映像データが示す映像は、比較的画角が広いワイド映像となり、具体的には、図３中、太線の一点鎖線にて囲まれた範囲の映像となる。一方、第一空間内に設置されたディスプレイの表示画面に表示可能な映像は、上記のワイド映像よりも画角が小さい映像となる。すなわち、ディスプレイの表示画面には、上記のワイド映像の一部分である部分映像が表示されることとなる。ここで、部分映像の表示サイズについて説明すると、ワイド映像に比べて縦幅及び横幅が幾分小さくなっており、例えば、図３中、細線の破線にて図示した表示サイズとなっている。
【００４０】
なお、本実施形態では、表示画面の縦幅がディスプレイの前に居る人の全身像を表示するのに十分な長さとなっている。これにより、表示画面に対話相手の映像（部分映像）を映し出すときには、当該対話相手の全身像が映し出されることになる。このように対話相手の全身像が映し出されることで、ユーザは、対話相手と同じ室内に居るような感覚を感じるようになる。この結果、対話の臨場感がより一層高まることとなる。ここで、「全身像」とは、頭部から足に亘る身体全体の姿であり、起立状態であっても着座状態であってもよく、また、前方に配置された物によって一部が隠れている状態の姿を含む概念である。
【００４１】
ディスプレイの構成について更に説明すると、本実施形態に係るディスプレイは、通常時には第一空間内に配置された装飾品、具体的には姿見としての外観を呈し、対話が実行される時にのみ表示画面を形成するものとなっている。かかる構成について、以下、図４を参照しながら説明する。図４は、本実施形態に係るディスプレイを示す図であり、同図の（Ａ）は、対話が行われていない非対話時の状態を、同図の（Ｂ）は、対話が行われている対話時の状態を、それぞれ示している。
【００４２】
本実施形態に係るディスプレイは、図４の（Ａ）に示す通り、非対話時には表示画面を形成せずに姿見の一部（具体的には鏡面部分）としての外観を現している。一方、本実施形態に係るディスプレイは、対話時になると、図４の（Ｂ）に示すように、表示画面を形成し、当該表示画面には上記の部分映像が表示されるようになる。このように本実施形態に係るディスプレイは、ディスプレイ兼用ミラー２５によって構成されており、表示画面の形成・消去が自在に切り替え可能となっている。
【００４３】
ディスプレイ兼用ミラー２５は、図２に示すように、制御回路２６と発光部２７を内蔵している。制御回路２６は、第一サーバ１０Ａから出力される表示画面形成命令を受信し、当該命令に従って発光部２７を点灯させる。これにより、ディスプレイ兼用ミラー２５の鏡面部分に表示画面が形成されるようになる。上記の表示画面形成命令は、ディスプレイ兼用ミラー２５が表示画面を形成していない状態において画面形成条件が成立すると、これをトリガーとして第一サーバ１０Ａによって生成される。
【００４４】
ここで、画面形成条件とは、ディスプレイ兼用ミラー２５に表示画面を形成させるための条件として予め設定されたものである。本実施形態では、上述の検出カメラ２３がディスプレイ兼用ミラー２５の前方位置に居る人の顔を検出（検知）することが、画面形成条件となっている。そして、検出カメラ２３がディスプレイ兼用ミラー２５の前方位置に居る人の顔を検出（検知）し続けている間、ディスプレイ兼用ミラー２５は、表示画面を形成し続ける。他方、検出カメラ２３がディスプレイ兼用ミラー２５の前方位置に居る人の顔を検出（検知）しなくなると、ディスプレイ兼用ミラー２５は、表示画面を消去し、再び姿見としての外観を現すようになる。
【００４５】
なお、画面形成条件については、ディスプレイ兼用ミラー２５の前に居る人の顔を検知することに限定されない。例えば、ディスプレイ兼用ミラー２５の前に居る人が行う動作又は姿勢を検知対象とし、当該検知対象が予め設定された条件を満たすことを画面形成条件としてもよい。あるいは、ヒトの足音や話し声に反応する音センサを用い、所定の音量以上の音声を音センサが検知することを画面形成条件としてもよい。このように音を検知対象とする構成としては、例えば特開２０１３−７３５０５号公報や特開２００５−７８３４７号公報に記載された構成のように公知の構成を利用することが可能である。
【００４６】
＜＜第一サーバ及び第二サーバの機能について＞＞
次に、図５を参照しながら、第一サーバ１０Ａ及び第二サーバ１０Ｂの構成をその機能面から改めて説明する。図５は、第一サーバ１０Ａ及び第二サーバ１０Ｂのそれぞれの構成を機能面から示したブロック図である。なお、第一サーバ１０Ａ及び第二サーバ１０Ｂの双方は機能面で共通するので、以下では、第一サーバ１０Ａの構成のみを説明することとする。
【００４７】
第一サーバ１０Ａは、第一空間の映像及び音声を示す対話データを生成し、当該対話データを第二サーバ１０Ｂに向けて送信する。その一方で、第一サーバ１０Ａは、第二サーバ１０Ｂから対話データを受信し、当該対話データを展開することで第二空間の映像及び音声を再生するための処理を実行する。以上の機能は、第一サーバ１０Ａにインストールされた対話プログラムが起動することで実現される。より詳しく説明すると、第一サーバ１０Ａは、そのＣＰＵ１１が対話プログラムを読み取って実行することで、取得部３１、送信部３２、受信部３３、映像表示部３４及び音声再生部３５として機能する。以下、各機能部についてそれぞれ説明する。
【００４８】
取得部３１は、第一空間内に設置された集音装置２１及び撮像カメラ２２からの出力信号を受信することで、第一空間の映像及び音声を取得するものである。この取得部３１は、ＣＰＵ１１、メモリ１２、ハードディスクドライブ１３及びＩ／Ｏポート１５が対話プログラムと協働することで実行される。
【００４９】
送信部３２は、取得部３１が取得した第一空間の映像及び音声を示すデータとして対話データを生成し、同データを第二サーバ１０Ｂに向けて送信するものである。この送信部３２は、ＣＰＵ１１、メモリ１２及び通信用インターフェース１４が対話プログラムと協働することで実行される。なお、対話データは、撮像カメラ２２が撮像した映像を示す映像データと、集音装置２１が集音した音声を示す音声データと、を多重化することで生成される。
【００５０】
受信部３３は、第二サーバ１０Ｂから送信されてくる対話データを、通信回線３を通じて受信するものである。この受信部３３は、ＣＰＵ１１、メモリ１２及び通信用インターフェース１４が対話プログラムと協働することで実行される。
【００５１】
映像表示部３４は、受信部３３が受信した対話データ中の映像データを読み取り、当該映像データが示す映像を表示画面に映し出すためのものである。この映像表示部３４は、ＣＰＵ１１、メモリ１２、ハードディスクドライブ１３及びＩ／Ｏポート１５が対話プログラムと協働することで実行される。
【００５２】
映像表示部３４について詳しく説明すると、本実施形態において、映像表示部３４は、表示画面を形成するディスプレイ兼用ミラー２５を制御して、表示画面の形成・消去を切り替える。具体的に説明すると、検出カメラ２３がディスプレイ兼用ミラー２５の前に居る人の顔を検出（検知）し、その検知結果として撮像映像の映像信号を出力すると、映像表示部３４が当該映像信号を受信する。これをトリガーとして、映像表示部３４は、表示画面形成命令を生成してディスプレイ兼用ミラー２５の制御回路２６に向けて送信する。これにより、発光部２７が点灯し、ディスプレイ兼用ミラー２５の鏡面部分に表示画面が形成されるようになる。
【００５３】
表示画面の形成後、映像表示部３４は、表示画面に映像を表示させる映像表示命令を生成して制御回路２６に向けて送信する。これにより、表示画面に、第二サーバ１０Ｂから受信した対話データ（厳密には、その中の映像データ）に基づく映像が表示されるようになる。
【００５４】
さらに、映像表示部３４は、検出カメラ２３が検出するユーザの顔の位置に応じて、映像データが示す映像中、実際に表示画面に表示する映像を決定する。より具体的に説明すると、本実施形態では、映像データが示す映像、すなわち、撮像カメラ２２が撮像した映像がワイド映像となっているのに対し、表示画面に表示可能な映像は、ワイド映像の一部分である部分映像となっている。そして、映像表示部３４は、ワイド映像中のどの部分映像を表示するのかを、検出カメラ２３が検出するユーザの顔の位置に応じて決定する。また、映像表示部３４は、検出カメラ２３による検出結果（すなわち、ユーザの顔の位置）が変化したときには、変化後の検出結果に応じてワイド映像中のどの部分映像を表示画面に表示させるかを再度決定する。
【００５５】
音声再生部３５は、受信部３３が受信した対話データ中の音声データを読み取り、当該音声データが示す音声をオーディオ装置２４に再生させるためのものである。この音声再生部３５は、ＣＰＵ１１、メモリ１２、ハードディスクドライブ１３及びＩ／Ｏポート１５が対話プログラムと協働することで実行される。音声再生部３５は、上記の音声データが示す音声を再生させる音声再生命令を生成してオーディオ装置２４に向けて送信する。オーディオ装置２４は、音声再生命令を受信すると当該命令に従って音声を発生する。これにより、第二サーバ１０Ｂから受信した対話データ（厳密には、その中の音声データ）が示す音声が再生されるようになる。
【００５６】
＜＜本実施形態に係る映像表示方法＞＞
次に、本実施形態に係る映像表示方法（以下、本表示方法）について説明する。本表示方法は、上述した第一サーバ１０Ａ及び第二サーバ１０Ｂにより実現される。より具体的に説明すると、本表示方法は、第一サーバ１０Ａと第二サーバ１０Ｂとの間で行われる対話用通信処理において採用されている。言い換えれば、対話用通信処理中で実施される各ステップが、本表示方法を構成する各工程に相当する。
【００５７】
以下、図６を参照しながら、対話用通信処理の流れを説明することとする。図６は、対話用通信処理の流れに関する説明図である。なお、以下では、第二サーバ１０Ｂから送信されてくる対話データに基づき、Ａさんが居る第一空間において第二空間の映像及び音声を再生するケースを例に挙げて説明することとする。ただし、以下に説明する手順については、第一サーバ１０Ａから送信されてくる対話データに基づき、Ｂさんが居る第二空間において第一空間の映像及び音声を再生する場合でも同様の手順となる。
【００５８】
対話用通信処理は、図６に示すように、先ず、第二空間において撮像及び集音が開始され、第二サーバ１０Ｂが映像及び音声を取得するところから始まる（Ｓ００１）。なお、本実施形態では、Ｂさんが第二空間の所定位置、具体的にはディスプレイ兼用ミラー２５の前方位置に位置した時点で撮像及び集音が開始されることになっている。より具体的には、Ｂさんがディスプレイ兼用ミラー２５の前に立つと、第二空間内に設置された検出カメラ２３がＢさんの顔を検出（検知）する。これをトリガーとして集音装置２１及び撮像カメラ２２が起動し、撮像及び集音が開始される。
【００５９】
第二サーバ１０Ｂは、集音装置２１及び撮像カメラ２２の各々からの出力信号を受信し、それぞれデータ化して音声データ及び映像データを生成する。さらに、第二サーバ１０Ｂは、上記のデータを多重化して対話データを生成し、当該データを第一サーバ１０Ａに向けて送信する（Ｓ００２）。第一サーバ１０Ａは、通信回線３を通じて対話データを受信する（Ｓ００３）。このとき、呼び出し音や発光若しくは受信通知用の画像等を利用して対話データを受信した事をＡさんに通知するのが望ましい。
【００６０】
一方、第一サーバ１０Ａが対話データを受信すると、第一空間内に設置された検出カメラ２３が、第一空間内の所定位置、具体的にはディスプレイ兼用ミラー２５の前にＡさんが居るかどうかを判定する（Ｓ００４）。Ａさんが居ない場合（Ｓ００４でＮｏ）、第一サーバ１０Ａは、Ａさんがディスプレイ兼用ミラー２５の前に来るまで待機する。
【００６１】
反対に、検出カメラ２３がディスプレイ兼用ミラー２５の前に居るＡさんの顔を検知（検知）した場合（Ｓ００４でＹｅｓ）、第一サーバ１０Ａは、検知結果に相当する映像信号を検出カメラ２３から受信する。これをトリガーとして、第一サーバ１０Ａは、表示画面形成命令を生成してディスプレイ兼用ミラー２５の制御回路２６に向けて送信する。そして、制御回路２６が表示画面形成命令を受信すると、発光部２７が点灯し、それまで姿見としての外観を呈していたディスプレイ兼用ミラー２５の鏡面部分に表示画面が形成されるようになる（Ｓ００５）。
【００６２】
次に、第一サーバ１０Ａは、検出カメラ２３から受信した映像信号を解析し、Ａさんの顔の位置を特定する（Ｓ００６）。具体的に説明すると、第一サーバ１０Ａは、ディスプレイ兼用ミラー２５の前に居るＡさんの顔の位置を示す座標値を算出する。ここで、顔の位置を示す座標値とは、顔の所定位置、例えば、顔の中央位置（重心位置）を示す座標値である。
【００６３】
座標値の算出後、第一サーバ１０Ａは、算出した座標値が基準値と一致するかどうかを判定する（Ｓ００７）。ここで、基準値とは、ディスプレイ兼用ミラー２５の前に居るユーザの顔の位置を特定するにあたり基準として予め設定された値である。より詳しく説明すると、本実施形態では、ディスプレイ兼用ミラーに向かって前方正面に居るときのユーザの顔の所定位置（例えば、顔の中央位置）を原点とし、当該原点の座標値を基準値として設定している。なお、基準値（換言すると、基準値に対応する顔の位置）については、特に限定されるものではなく、任意に設定することが可能である。また、基準値は、単一の値に限らず、範囲を有する値であってもよい。
【００６４】
その後、第一サーバ１０Ａは、Ｂさんが居る第二空間の映像や音声を再生させるために、第二サーバ１０Ｂから受信した対話データを展開し、オーディオ装置２４やディスプレイ兼用ミラー２５に対して命令（音声再生命令及び映像表示命令）を発する。このとき、第一サーバ１０Ａは、前ステップＳ００７の判定結果に対応した部分映像が表示画面に表示されるように、ディスプレイ兼用ミラー２５に命ずる。かかる内容について、図７Ａ及び７Ｂ並びに図８を参照しながら具体的に説明する。図７Ａ及び７Ｂは、Ａさんの顔の位置が変化したときに表示画面の映像を切り替える際の手順を示した図である。厳密には、Ａさんの顔の位置が変化する様子を図７Ａに示し、その変化に連動して表示映像が切り替わる様子を図７Ｂに示している。
【００６５】
先ず、算出した座標値が基準値に一致する場合（Ｓ００７でＹｅｓ）、つまり、Ａさんの顔の位置が、ディスプレイ兼用ミラー２５の前方正面（具体的には、図７Ａに図示したＡさんのポジションのうち、真ん中のポジション）に居るときの顔の位置と一致する場合について説明する。かかる場合において、第一サーバ１０Ａは、第二サーバ１０Ｂから受信した対話データ中の映像データが示すワイド映像のうち、基準値に対応して設定された基準部分映像を表示画面に表示させる。ここで、基準部分映像とは、上記のワイド映像中、中央領域（縦方向及び横方向の双方において中央に位置する領域）に位置する映像のことであり、図７Ｂ中、記号Ｐｓにて示された映像のことである。
【００６６】
以上のように座標値の算出結果が基準値と一致する場合には、第二空間内の撮像カメラ２２によって撮像されたワイド映像のうち、基準部分映像Ｐｓが表示画面に表示される（Ｓ００８）。また、これと同時に、第二サーバ１０Ｂから受信した対話データ中の音声データが示す音声が、オーディオ装置２４によって再生されるようになる（Ｓ００８）。
【００６７】
次に、算出した座標値が基準値と異なる場合（Ｓ００７でＮｏ）について説明する。かかる場合、第一サーバ１０Ａは、算出した座標値と基準値とのずれ量を算出する（Ｓ００９）。その後、第一サーバ１０Ａは、映像データが示すワイド映像中、算出したずれ量に応じた分だけ基準部分映像からずれた部分映像を表示画面に表示させる（Ｓ０１０）。これらの工程は、前述した映像表示部３４の機能によって実現される。
【００６８】
上記の工程Ｓ００９、Ｓ０１０について分かり易く説明すると、座標値が基準値と異なるということは、Ａさんの顔の位置が、ディスプレイ兼用ミラー２５の前方正面に居たときの位置（以下、基準位置）からずれていることを意味している。特に、本実施形態では、互いに反対向きである第一の向き及び第二向きのうち、いずれかの向きに顔の位置がずれることを意味している。ここで、第一の向き及び第二の向きとは、左右方向における向きである。より具体的に説明すると、第一の向きは、ディスプレイ兼用ミラー２５を正面から見たときの左向きに相当し、第二の向きは、右向きに相当する。
【００６９】
例えば、Ａさんの顔の位置が基準位置から第一の向きにずれているとき（すなわち、Ａさんが図７Ａ中、左側のポジションに居るとき）、第一サーバ１０Ａは、そのずれ量を算出する。その後、第一サーバ１０Ａは、映像データが示すワイド映像において、基準部分映像から第二の向きに上記ずれ量だけずれた部分映像を特定する。この際に特定される部分映像は、ワイド映像中、右側領域に位置する映像であり、具体的には、図７Ｂ中、記号Ｐａにて示された映像のことである。そして、第一サーバ１０Ａは、特定した部分映像Ｐａを表示画面に表示させるようにディスプレイ兼用ミラー２５に命ずる。
【００７０】
同様に、Ａさんの顔の位置が基準位置から第二の向きにずれているとき（すなわち、Ａさんが図７Ａ中、右側のポジションに移ったとき）、第一サーバ１０Ａは、そのずれ量を算出する。その後、第一サーバ１０Ａは、映像データが示すワイド映像において、基準部分映像から第一の向きに上記ずれ量だけずれた部分映像を特定する。この際に特定される部分映像は、ワイド映像中、左側領域に位置する映像であり、具体的には、図７Ｂ中、記号Ｐｂにて示された映像のことである。そして、第一サーバ１０Ａは、特定した部分映像Ｐｂを表示画面に表示させるようにディスプレイ兼用ミラー２５に命ずる。
【００７１】
以上のように算出した座標値が基準値と異なる場合には、第二空間内の撮像カメラ２２によって撮像されたワイド映像のうち、座標値と基準値とのずれ量の分だけ基準部分映像からずれた映像が表示画面に表示される（Ｓ０１０）。また、これと同時に、第二サーバ１０Ｂから受信した対話データ中の音声データが示す音声が、オーディオ装置２４によって再生されるようになる（Ｓ０１０）。
【００７２】
そして、本実施形態では、Ａさんがディスプレイ兼用ミラー２５の前方位置で左右に移動して顔の位置が変化すると（Ｓ０１１）、上述した映像表示に関する一連の工程Ｓ００６〜Ｓ０１０が繰り返し行われることになっている。これにより、例えば、Ａさんの顔の位置が基準位置から第一の向きに移動すると、それまで基準部分映像が表示されていた表示画面の映像が、基準部分映像から第二の向きにずれた部分映像に切り替わるようになる。同様に、Ａさんの顔の位置が基準位置から第二の向きに移動すると、それまで基準部分映像が表示されていた表示画面の映像が、基準部分映像から第一の向きにずれた部分映像に切り替わるようになる。
【００７３】
以上のように本実施形態では、ディスプレイ兼用ミラー２５の前に居るＡさんが、ディスプレイ兼用ミラー２５から見て第一の向きに顔を移動させたとき、第一サーバ１０Ａは、移動前に表示されていた部分映像よりも第二の向きにずれた部分映像を表示画面に表示させる。同様に、ディスプレイ兼用ミラー２５から見て第二の向きに顔を移動させたときには、第一サーバ１０Ａは、移動前に表示されていた部分映像よりも第一の向きにずれた部分映像を表示画面に表示させる。これにより、Ａさんは、顔を移動させるだけで、移動前の時点で表示画面を通じて見ていた物（人）の隣に在る物（人）を見られるようになる。すなわち、本実施形態では、いわゆる「覗き込み」の視覚的効果を得ることが可能となる。
【００７４】
「覗き込み」の効果について具体的に説明すると、Ａさんの顔の位置が基準位置にあるとき、図１に示すようにＢさんの全身像が基準部分映像として表示画面に表示されているとする。かかる状態でＡさんが第一の向きに移動してＡさんの顔の位置が同じ向きにずれると、第二空間内に設置された撮像カメラ２２が撮像したワイド映像中、基準部分映像から第二の向きにずれた部分映像が表示画面に表示されるようになる。これにより、図８に示すように、Ｂさんの隣に在る物（厳密には、Ｂさんを正面から見たときの右隣にあった図３に図示の箱状物）の映像が表示されるようになる。図８は、Ａさんの顔の位置が変化することで表示画面の映像が切り替わった状況を示した図である。
【００７５】
また、Ａさんが第二の向きに移動してＡさんの顔の位置が同じ向きにずれると、上記のワイド映像中、基準部分映像から第一の向きにずれた部分映像が表示画面に表示されるようになる。これにより、Ｂさんの隣に居る人物（厳密には、Ｂさんを正面から見たときの左隣に居る、図３に図示のＣさん）の映像が表示されるようになる。
【００７６】
以上のように本実施形態では、ユーザの顔の位置の変位に連動してワイド映像中、実際に表示画面に表示する部分映像を切り替えることにより、比較的簡易な構成にて「覗き込み」の視覚的効果を得ることができる。より詳しく説明すると、背景技術の項で説明した特許文献２のようにユーザの位置に応じて撮像カメラ２２の撮像範囲を変更する構成でれば、ユーザの位置の変化に応じて表示映像を切り替えることが可能である。しかしながら、このような構成では撮像カメラ２２の撮像範囲を変更するための機構を別途要するため、構成が複雑化し、コストも高くなる。一方で、本実施形態の構成であれば、撮像カメラ２２の撮像範囲を変更するための機構を必要としないため、その分だけ構成がシンプルとなり、コストも抑えられる。
【００７７】
以上のような「覗き込み」の視覚的効果が得られることにより、ＡさんとＢさんの間で行われる対話、すなわち、本表示方法を用いた遠隔対話の臨場感がより高まることになる。なお、「覗き込み」の視覚的効果をより効果的なものとする上で、部分映像の切り替えは、Ａさんの顔の移動速度に応じて漸次的に（連続的に）行われることが望ましい。
【００７８】
＜＜その他の実施形態＞＞
上記の実施形態では、本発明の映像表示システム及び映像表示方法について、一例を挙げて説明した。ただし、上記の実施形態は、本発明の理解を容易にするための一例に過ぎず、本発明を限定するものではない。すなわち、本発明は、その趣旨を逸脱することなく、変更、改良され得ると共に、本発明にはその等価物が含まれることは勿論である。
【００７９】
また、本実施形態では、ユーザの顔の位置の変位に連動してワイド映像中、実際に表示画面に表示する部分映像を切り替えることとした。この際、ユーザの顔が移動する向きや部分映像が変化する向きは、左右方向の向きであることとしたが、これに限定されるものではない。例えば、ユーザの顔の位置が上下に移動した際には、これに連動して表示画面に表示される部分映像が上下に切り替わる（すなわち、移動前の部分映像から上下にずれた部分映像に切り替わる）こととしてもよい。
【００８０】
また、本実施形態では、ユーザ（Ａさん）及び対話相手（Ｂさん）の各々が保有する対話ユニット１、２が共通の構成となっていることとした。より具体的に説明すると、ユーザ及び対話相手のそれぞれに対して、前述の「覗き込み」の視覚的効果を得るための構成が用意されている。ただし、これに限定されるものではなく、図９に示すように、ユーザ及び対話相手のうち、一方の者のみに対して「覗き込み」の視覚的効果を得るための構成が用意されていることとしてもよい。図９は、変形例に係る映像表示システムＳｘの構成を示した図である。
【００８１】
図９を参照しながら変形例に係る映像表示システムＳｘについて説明すると、ユーザ側の対話ユニット１０１は、撮像カメラ２２が広角レンズ２２ａを有していない点を除き、上記の実施形態と同様の構成となっている。すなわち、ユーザ側の対話ユニット１０１が有する第一サーバ１０Ａは、上記に実施形態に係る第一サーバ１０Ａと同様の構成となっている。そして、変形例において第一サーバ１０Ａは、表示画面に表示させる部分映像を、ユーザの顔の位置の検出結果に応じて切り替える機能を有する。他方、対話相手側の対話ユニット１０２では、検出カメラ２３が設置されてなく、また、第二サーバ１０Ｂが表示画面に表示させる部分映像を切り替える機能を有していない。以上の点において、変形例に係る映像表示システムＳｘは、上記の実施形態に係る映像表示システム（すなわち、本システムＳ）と相違する。そして、変形例に係る映像表示システムＳｘの構成では、ユーザ側及び対話相手側のうち、ユーザ側においてのみ「覗き込み」の視覚的効果が得られるようになる。
【００８２】
また、本実施形態において、ディスプレイは、通常時には姿見として機能するディスプレイ兼用ミラー２５であることとしたが、これに限定されるものではない。ディスプレイについては、一般的な汎用ディスプレイであってもよく、例えば壁掛け式の表示パネルを用いてもよい。
【符号の説明】
【００８３】
１，２，１０１，１０２  対話ユニット
３  通信回線
１０Ａ  第一サーバ
１０Ｂ  第二サーバ
１１  ＣＰＵ
１２  メモリ
１３  ハードディスクドライブ
１４  通信用インターフェース
１５  Ｉ／Ｏポート
２１  集音装置
２２  撮像カメラ
２２ａ  広角レンズ
２３  検出カメラ
２４  オーディオ装置
２５  ディスプレイ兼用ミラー
２６  制御回路
２７  発光部
３１  取得部
３２  送信部
３３  受信部
３４  映像表示部
３５  音声再生部
Ｓ  本システム
Ｓｘ  変形例に係る映像表示システム
【図１】
0006570290.tif 000002
【図２】
0006570290.tif 000003
【図３】
0006570290.tif 000004
【図４】
0006570290.tif 000005
【図５】
0006570290.tif 000006
【図６】
0006570290.tif 000007
【図７Ａ】
0006570290.tif 000008
【図７Ｂ】
0006570290.tif 000009
【図８】
0006570290.tif 000010
【図９】
0006570290.tif 000011